(57)【要約】【課題】一対のレバーを開閉する操作力が小さく出来るダブルクリップを提供する。【解決手段】ダブルクリップ１は、薄い肉厚のバネ材２の中央２１を中心に間隔をあけて折り曲げられた一対の折曲部３１及び３２と、バネ材２の両端に設けられた厚い書類などを挟んで留めるための一対の挟口部４１及び４２と、一対の挟口部４１及び４２を開口する一対のレバー５１及び５２と、一対の挟口部４１及び４２の裏面のバネ材２に設けられ且つレバー５１及び５２を回動させる一対の支持部６１及び６２と、一対の挟口部４１及び４２並びに一対の折曲部３１及び３２の間のバネ材２に設けられた一対の支点部７１及び７２と、一対の挟口部４１及び４２並びに一対の折曲部３１及び３２の間のバネ材２が湾曲しにくいようにする一対の湾曲防止部８１、８２を備えている。【選択図】図２
2020075468.tif 000002
【特許請求の範囲】
【請求項１】
薄い肉厚のバネ材の中央を中心に間隔をあけて折り曲げられた一対の折曲部と、厚い書類などを挟んで留めるために前記バネ材の両端に設けられた一対の挟口部と、前記一対の挟口部を開口する一対のレバーと、前記一対の挟口部の裏面の前記バネ材に設けられ且つ前記一対のレバーを回動させる一対の支持部と、前記一対の挟口部並びに前記一対の折曲部の間の前記バネ材に設けられた一対の支点部と、を備えたダブルクリップにおいて、前記一対の挟口部並びに前記一対の折曲部の間の前記バネ材が湾曲しにくいようにする一対の湾曲防止部を備えたダブルクリップ。
【請求項２】
前記湾曲防止部は、前記支点部と略直角で且つ前記支点部と同面の前記バネ材に設けられ凸状又は／及び凹状に形成されている請求項１に記載のダブルクリップ。
【請求項３】
前記湾曲防止部は、前記支点部と略直角で且つ前記支点部と同面の前記バネ材の両側面に設けられ内側曲げ状又は／及び外側曲げ状に形成されている請求項１に記載のダブルクリップ。
【発明の詳細な説明】
【技術分野】
【０００１】  本発明は、厚い書類などを挟んで留めるための好適なダブルクリップに関する。
【背景技術】
【０００２】  特許文献１に開示のダブルクリップは、薄い肉厚のバネ材の中央を中心に間隔をあけて折り曲げられた一対の折曲部と、厚い書類などを挟んで留めるためにバネ材の両端に設けられた一対の挟口部と、一対の挟口部を開口する一対のレバーと、一対の挟口部の裏面のバネ材に設けられ且つ一対のレバーを回動させる一対の支持部と、一対の挟口部並びに一対の折曲部の間のバネ材に設けられた一対の支点部と、を備えている。【０００３】  また、非特許文献１に開示のダブルクリップ１０は、図５に示すように、薄い肉厚のバネ材２の中央２１を中心に間隔をあけて折り曲げられた一対の折曲部３１及び３２と、厚い書類（不図示）などを挟んで留めるためにバネ材２の両端に設けられた一対の挟口部４１及び４２と、一対の挟口部４１及び４２を開口する一対のレバー５１及び５２と、一対の挟口部４１及び４２の裏面のバネ材２に設けられ且つレバー５１及び５２を回動させる一対の支持部６１及び６２と、一対の挟口部４１及び４２並びに折曲部３１及び３２の間のバネ材２に設けられ且つ折曲部３１及び３２と略平行で凸状に形成された一対の支点部７１及び７２と、を備えている。
【先行技術文献】
【特許文献】
【０００４】
【特許文献１】実用新案登録第３１１９０６４号公報（段落番号００１５、図４）
【非特許文献】
【０００５】
【非特許文献１】「ＰＬＵＳ２０１８文房具カタログ」、プラス株式会社、１０５頁
【発明の概要】
【発明が解決しようとする課題】
【０００６】  特許文献１のダブルクリップでは、厚い書類などを挟んで留める時に、一対のレバーを二つの指で挟み一対の挟口部を開くと、一対のレバーが一対の支点部に当接してバネ材が彎曲する。更に挟口部を開くと、一対のレバーが一対の支点部並びに一対の折曲部の一対の一部表面に当接して、一対のレバーの支点が一対の支点部から一対の一部表面に移動するため、一対のレバーを二つの指で挟む力が大きくなる欠点がある。【０００７】  また、非特許文献１のダブルクリップ１０では、図６に示すように、厚い書類（不図示）などを挟んで留める時に、一対のレバー５１及び５２を二つの指（不図示）で挟み一対の挟口部４１及び４２を開くと、一対の支点部７１及び７２の強度が高いため、一対のレバー５１及び５２が、一対の支点部７１及び７２に当接した時のバネ材２の彎曲量は特許文献１のダブルクリップよりも小さく出来る利点はあるが、更に一対の挟口部４１及び４２を開くと、一対のレバー５１及び５２が一対の支点部７１及び７２並びに一対の折曲部３１及び３２の一対の一部表面３１０及び３２０に当接して、一対のレバー５１及び５２の支点が一対の支点部７１及び７２から一対の一部表面３１０及び３２０に移動するため、一対のレバー５１及び５２を二つの指（不図示）で挟む力が大きくなる欠点がある。【０００８】  本発明は、前述のダブルクリップの欠点を解決するもので、厚い書類などを挟んで留めるために、一対の挟口部を大きく開く時に一対のレバーが一対の折曲部の一対の一部表面に当接しないようにして、一対のレバーを二つの指で挟む力が大きくならないダブルクリップを提供することを課題とする。
【課題を解決するための手段】
【０００９】  前述の課題を解決するため、請求項１に記載のダブルクリップは、薄い肉厚のバネ材の中央を中心に間隔をあけて折り曲げられた一対の折曲部と、厚い書類などを挟んで留めるためにバネ材の両端に設けられた一対の挟口部と、一対の挟口部を開口する一対のレバーと、一対の挟口部の裏面のバネ材に設けられ且つ一対のレバーを回動させる一対の支持部と、一対の挟口部並びに一対の折曲部の間のバネ材に設けられた一対の支点部と、を備えたダブルクリップにおいて、一対の挟口部並びに一対の折曲部の間のバネ材が湾曲しにくいようにする一対の湾曲防止部を備えている。【００１０】  また、請求項２に記載のダブルクリップは、請求項１に記載の湾曲防止部が、支点部と略直角で且つ支点部と同面のバネ材に設けられ凸状又は／及び凹状に形成されている。【００１１】  また、請求項３に記載のダブルクリップは、請求項１に記載の湾曲防止部が、支点部と略直角で且つ支点部と同面のバネ材の両側面に設けられ内側曲げ状又は／及び外側曲げ状に形成されている。
【発明の効果】
【００１２】  前述の説明から明らかなように、請求項１に記載のダブルクリップは、厚い書類などを挟んで留めるため、一対の挟口部を開く時に一対のレバーが一対の支点部に当接するだけで、一対の折曲部の一対の一部表面に当接しないため、一対のレバーを二つの指で挟む力を小さくすることが出来る。【００１３】  また、請求項２に記載のダブルクリップは、湾曲防止部及び支点部を同一工程で形成できるため、湾曲防止部を製作しやすくすることが出来る。【００１４】  また、請求項３に記載のダブルクリップは、一対の挟口部並びに一対の折曲部の間のバネ材が更に湾曲しにくくなるため、一対の支点部を一対の支持部の近くに配置しても、一対の挟口部を開く時に一対のレバーが一対の支点部に当接するだけで、一対の折曲部の一対の一部表面に当接しないため、一対のレバーを二つの指で挟む力を更に小さくすることが出来る。また、挟む力を更に小さくせず一対のレバーの長さを短くすることも出来る。【００１５】
【図面の簡単な説明】
【００１６】
【図１】本発明の第１実施形態に係るダブルクリップの構成を示す上面図である。
【図２】図１におけるダブルクリップの構成を示す正面図である。
【図３】図１におけるダブルクリップの作用を示す正面図である。
【図４】本発明の第２実施形態に係るダブルクリップの構成を示す上面図である。
【図５】先行技術のダブルクリップの構成を示す正面図である。
【図６】先行技術のダブルクリップの作用を示す正面図である。
【発明を実施するための形態】
【００１７】  先行技術と同一または同等の構成要素、部材などには同一の符号を付し、以下、本発明の最良の形態を図に基づいて説明する。
【００１８】（第１実施形態）
本発明の第１実施形態について図１と図２と図３を参照して説明する。図１乃至図３に示すように、ダブルクリップ１は、薄い肉厚のバネ材２の中央２１を中心に間隔をあけて折り曲げられた一対の折曲部３１及び３２と、バネ材２の両端に設けられた厚い書類（不図示）などを挟んで留めるための一対の挟口部４１及び４２と、一対の挟口部４１及び４２を開口する一対のレバー５１及び５２と、一対の挟口部４１及び４２の裏面のバネ材２に設けられ且つ前記レバー５１及び５２を回動させる一対の支持部６１及び６２と、一対の挟口部４１及び４２並びに一対の折曲部３１及び３２の間のバネ材２に設けられ且つ一対の折曲部３１及び３２と略平行で凸状に形成された一対の支点部７１及び７２と、一対の挟口部４１及び４２並びに一対の折曲部３１及び３２の間のバネ材２が湾曲しにくいようにする一対の湾曲防止部８１及び８２から構成されている。
【００１９】  一対の湾曲防止部８１及び８２はバネ材２に設けられ且つ一対の支点部７１及び７２と略直角で一対の支点部７１及び７２の両側に凸状に形成されている。一対のレバー５１及び５２は、一対の支持部６１及び６２の端部に設けられた一対の回動部９１及び９２（不図示）の作用によって、所定の位置（図２の位置又は図２と略１８０度異なった位置）に回動され且つ所定の位置に保持される。
【００２０】  前述のように構成することで、図３に示すように、一対のレバー５１及び５２を二つの指（不図示）で挟み一対の挟口部４１及び４２を大きく開いても、一対の湾曲防止部８１及び８２の作用で一対の挟口部４１及び４２並びに一対の折曲部３１及び３２の間のバネ材２はほとんど湾曲しないため、一対のレバー５１及び５２は一対の支点部７１及び７２に当接するだけで、一対の折曲部３１及び３２に当接しないため、一対のレバー５１及び５２を二つの指（不図示）で挟む力は小さいまま変化しない。
【００２１】（第２実施形態）
第１実施形態と同一または同等の構成要素、部材などには同一の符号を付し、適宜重複した説明は省略する。以下、第２実施形態の特徴部分を中心に説明する。
【００２２】  本発明の第２実施形態について図４を参照して説明する。図４に示すように、ダブルクリップ１は、肉厚が薄い板状のバネ材２と、バネ材２の中央２１を中心に間隔をあけて折り曲げられた一対の折曲部３１及び３２（不図示）と、バネ材２の両端に設けられた厚い書類（不図示）などを挟んで留めるための一対の挟口部４１及び４２（不図示）と、一対の挟口部４１及び４２（不図示）を開口する一対のレバー５１及び５２（不図示）と、一対の挟口部４１及び４２（不図示）の裏面のバネ材２に設けられ且つ一対のレバー５１及び５２（不図示）を回動させる一対の支持部６１及び６２（不図示）と、一対の挟口部４１及び４２（不図示）並びに一対の折曲部３１及び３２（不図示）の間のバネ材２に設けられ且つ一対の折曲部３１及び３２（不図示）と略平行で凸状に形成された一対の支点部７１及び７２（不図示）と、一対の挟口部４１及び４２（不図示）並びに一対の折曲部３１及び３２（不図示）の間のバネ材２が湾曲しにくいようにする一対の湾曲防止部８１及び８２（不図示）から構成されている。
【００２３】  一対の湾曲防止部８１及び８２（不図示）は一対の支点部７１及び７２（不図示）と略直角で且つ一対の支点部７１及び７２（不図示）と同面のバネ材２の両側面に設けられ内側曲げ状に形成されている。一対のレバー５１及び５２（不図示）は、一対の支持部７１及び７２（不図示）の端部に設けられた一対の回動部９１及び９２（不図示）の作用によって、所定の位置（図４の位置又は図４と略１８０度異なった位置）に回動され且つ所定の位置に保持される。
【００２４】  本発明の範囲内で、任意に変形や応用が可能である。例えば、第１実施形態では、一対の湾曲防止部８１及び８２は一対の支点部７１及び７２の略中央に設けて一つにしても良い。また、一対の湾曲防止部８１及び８２は一対の支点部７１及び７２とは分離して設けても良い。この場合は二つとも凸状から凹状にするか又は一つを凸状から凹状にしても良い。第２実施形態では、一対の湾曲防止部８１及び８２（不図示）は二つとも内側曲げ状から外側曲げ状にするか又は一つを内側曲げ状から外側曲げ状にしても良い。一対の支点部７１及び７２（不図示）を一対の支持部７１及び７２（不図示）の更に近くに配置しても良い。
【符号の説明】
【００２５】  １  ダブルクリップ
２  バネ材
２１  中央
３１  折曲部
３２  折曲部
４１  挟口部
４２  挟口部
５１  レバー
５２  レバー
６１  支持部
６２  支持部
７１  支点部
７２  支点部
８１  湾曲防止部
８２  湾曲防止部
９１  回動部
９２  回動部
【図１】
2020075468.tif 000003
【図２】
2020075468.tif 000004
【図３】
2020075468.tif 000005
【図４】
2020075468.tif 000006
【図５】
2020075468.tif 000007
【図６】
2020075468.tif 000008